(57)【特許請求の範囲】
【請求項１】
展示物を保持する保持機構と前記保持機構を支持する支持機構とを備えた展示具であって、
前記保持機構は、
前記展示物の内面に当接し弾性体からなる風船と、
前記風船の流入口を塞ぐ閉塞機構と、を有することを特徴とする展示具。
【請求項２】
前記風船は、流体の導入によって膨張した際、前記展示物の内面に当接する当接面を自身の表面に有することを特徴とする請求項１記載の展示具。
【請求項３】
前記風船は、前記展示物の下部が非接触状態となるように前記展示物を保持することを特徴とする請求項１または２記載の展示具。
【請求項４】
前記閉塞機構は、
前記風船へ供給される前記流体の流路を内蔵する流路部材と、
前記流路部材に設けられ前記流路を開閉自在にする開閉部材と、
前記風船の流入口及び前記流路の供給口が連通するように前記風船を前記流路部材に固定する固定部材と、を有することを特徴とする請求項１ないし３のうちいずれか１項記載の展示具。
【請求項５】
前記流路部材は前記供給口が開口する開口部を有し、
前記開口部は下方へ延びることを特徴とする請求項４記載の展示具。
【請求項６】
前記流路部材は前記供給口が開口する筒状の開口部を有し、
前記固定部材は前記開口部と嵌着可能な挿入孔を有することを特徴とする請求項４または５記載の展示具。
【発明の詳細な説明】
【技術分野】
【０００１】
本発明は展示具に関する。
【背景技術】
【０００２】
従来、商品や美術品などといった物品（以下、展示物と称する）を展示するための展示具としては、展示物を載置する台座を有するものが一般的である（例えば、特許文献１参照）。
【先行技術文献】
【特許文献】
【０００３】
【特許文献１】特開平２００６−１６７４３９号公報
【発明の概要】
【発明が解決しようとする課題】
【０００４】
ところで、従来の展示具に対し衝撃や振動等が加えられると、台座に載置された展示物が倒れてしまう。そこで、展示物を囲うように転倒防止具を展示具に設ける方法が考えられる。しかしながら、このようにして転倒防止具を単に設けるだけでは、転倒防止具の存在が展示物を遮ることとなるため、展示具そのものの機能を阻害してしまう。
【０００５】
本発明は、斯かる実情に鑑み、展示物の形状に左右されない展示具を提供しようとするものである。
【課題を解決するための手段】
【０００６】
本発明は、展示物を保持する保持機構と前記保持機構を支持する支持機構とを備えた展示具であって、前記保持機構は、前記展示物の内面に当接し弾性体からなる風船と、前記風船の流入口を塞ぐ閉塞機構と、を有することを特徴とする。
【０００７】
前記風船は、流体の導入によって膨張した際、前記展示物の内面を当接する当接面を自身の表面に有することが好ましい。また、前記風船は、前記展示物の下部が非接触状態となるように前記展示物を保持することが好ましい。
【０００８】
前記閉塞機構は、前記風船へ供給される前記流体の流路を内蔵する流路部材と、前記流路部材に設けられ前記流路を開閉自在にする開閉部材と、前記風船の流入口及び前記流路の供給口が連通するように前記風船を前記流路部材に固定する固定部材と、を有することが好ましい。また、前記流路部材は前記供給口が開口する開口部を有し、前記開口部は下方へ延びることが好ましい。さらに、前記流路部材は前記供給口が開口する筒状の開口部を有し、前記固定部材は前記開口部と嵌着可能な挿入孔を有することが好ましい。
【０００９】
本発明は、展示物を保持する保持機構と前記保持機構を支持する支持機構とを備えた展示具であって、前記保持機構は、前記展示物の内面又は外面のうち一方の面へ当接する一の当接機構及び他方の面へ当接する他の当接機構を有し、前記他の当接機構は、前記他方の面の第１部へ当接する弾性体の第１当接具と前記他方の面の第２部へ当接する弾性体の第２当接具と、を有し、前記一の当接機構は、弾性体からなり、前記第１部及び第２部の間の部位を反対側から当接することを特徴とする。
【発明の効果】
【００１０】
本発明によれば、展示物の保持が可能になる優れた効果を奏し得る。
【図面の簡単な説明】
【００１１】
【図１】第１の展示具の概要を示す斜視図である。
【図２】第１の展示具の概要を示す分解斜視図である。
【図３】第１の展示具の概要を示す斜視図である。
【図４】第１の展示具により保持可能な展示物の概要を示す斜視図である。
【図５】第２の展示具の概要を示す斜視図である。
【図６】第２の展示具の概要を示す側面図である。
【図７】第２の展示具の挟持機構の概要を示す平面図である。
【図８】第２の展示具の概要を示す側面図である。
【図９】第３の展示具の概要を示す側面図である。
【図１０】第４の展示具の挟持機構の概要を示す平面図である。
【発明を実施するための形態】
【００１２】
以下、添付図面を参照して、本発明の第１の実施の形態を説明する。
【００１３】
図１に示すように、展示具１０は、展示物２０を保持するためのものであり、展示物２０を保持する保持機構と、保持機構を支持する支持機構とを備える。保持機構は、ガスが流通可能なガス流路１１Ｒを内蔵する通気管１１と、通気管１１に設けられたバルブ１２と、弾性体からなりガスを内部に充てん可能な風船１３と、内部にガスが充てんされた状態の風船１３を通気管１１に固定可能な固定リング１４と、を有する。また、支持機構は、通気管１１を支持する支持機構１６である。そして、通気管１１とバルブ１２と固定リング１４とにより、風船１３の風船開口１３Ｘを塞ぐ閉塞機構が形成される。
【００１４】
支持機構１６は、ベース１６Ａと、ベース１６Ａから上方に向かって延びる支柱１６Ｂとを有する。支柱１６Ｂは、下端がベース１６Ａに取り付けられた下方支柱１６ＢＬと、通気管１１を支持するための通気管支持孔（図示しない）が形成された上方支柱１６ＢＵと、を有する。通気管支持孔は、上方支柱１６ＢＵの前面から背面まで貫通する。
【００１５】
図２に示すように、下方支柱１６ＢＬの上面には、上方支柱１６ＢＵの下部が挿入可能な支柱挿入穴１６ＢＢが開口する。支柱挿入穴１６ＢＢは、下方支柱１６ＢＬの上面から下方に向かって延びる。上方支柱１６ＢＵの下部を支柱挿入穴１６ＢＢに挿入すると、上方支柱１６ＢＵは、支柱挿入穴１６ＢＢをガイドにして、上下方向にスライド自動自在となる（図１参照）。
【００１６】
また、図２に示すように、下方支柱１６ＢＬの側面（例えば、背面側の側面）にはネジ３０が挿入可能な挿通孔１６ＢＣが形成される。また、上方支柱１６ＢＵの側面（例えば、背面側の側面）には、ネジ３０と螺合可能な螺合穴１６ＢＤが、上下方向に一定のピッチで並ぶ。挿通孔１６ＢＣを介してネジ３０と螺合穴１６ＢＤとを螺合することにより、通気管支持孔の高さが一定に維持された状態で、上方支柱１６ＢＵを下方支柱１６ＢＬに固定することができる。
【００１７】
通気管１１は通気管支持孔に挿入された状態で上方支柱１６ＢＵに固着される。なお、通気管１１は通気管支持孔に挿入された状態でスライド自在であってもよい。この場合には、別途の固定具を用いて、通気管１１を上方支柱１６ＢＵに固定してもよい。
【００１８】
通気管１１は、入口側管部１１Ａと、出口側管部１１Ｂと、入口側管部１１Ａ及び出口側管部１１Ｂを連結する湾曲管部１１Ｃと、を有する。入口側管部１１Ａの一端側にバルブ１２が設けられる。湾曲管部１１Ｃは入口側管部１１Ａの他端側と出口側管部１１Ｂの一端側とを連結する。出口側管部１１Ｂの他端側には通気管１１の出口１１Ｙが開口する。
【００１９】
バルブ１２は、通気管１１の入口１１Ｘを開閉自在にする。バルブ１２が「閉」状態の場合、入口１１Ｘは閉じる。バルブ１２が「開」状態の場合、入口１１Ｘは開く。バルブ１２としては、ガス流路１１Ｒの開閉が可能な物であれば特に限定されず、例えば、自転車のタイヤなどに設けられる米式バルブ・英式バルブ・仏式バルブなどがある。なお、バルブ１２は、ガス流路１１Ｒを開閉可能なものであればよく、通気管１１の入口１１Ｘを開閉自在にするものの他、通気管１１の出口１１Ｙを開閉自在にするものや、ガス流路１１Ｒの中途部分を開閉可能なものでもよい。
【００２０】
上方支柱１６ＢＵの通気管支持孔に挿入された入口側管部１１Ａは、一端側から他端側に向かうに従って上方となるような斜めの姿勢で配される。入口１１Ｘはエアポンプ３５の給気口３５Ｘに着脱自在である（図３参照）。図２に戻って、出口側管部１１Ｂは上下方向に延びるように配され、下端に出口１１Ｙが開口する。なお、通気部材としては、通気管１１に限らず、ブロック状に形成されガス流路１１Ｒを内蔵する通気ブロックでもよい。
【００２１】
ベース１６Ａ、支柱１６Ｂや通気管１１の形成材料は、特に限定されず、金属、プラスチックなどいずれでもよい。展示物２０を展示した状態の展示具１０の安定性を確保する点から、ベース１６Ａは、展示物２０に比べて質量の大きなものであることが好ましい。この点から、ベース１６Ａは、金属であることが好ましい。また、展示具１０としては、透明であるほうが好ましい。この点より、支柱１６Ｂや通気管１１の形成材料は、透明のプラスチックであることが好ましい。
【００２２】
風船１３は、風船開口１３Ｘを一端に有しガスが流通可能な風船管部１３Ａと、風船管部１３Ａの他端と連なりガスを充てんするための風船袋部１３Ｂと、を有する。風船開口１３Ｘは、出口側管部１１Ｂが挿入可能である。ガスが充てんされた状態の風船袋部１３Ｂの形状は、特に限定されないが、図示されるような球体のほか、柱状でもよい。また、  風船１３の形成材料は、弾性を有するもの（例えば、ゴム）であればよい。そして、風船１３の強度は、展示物２０の重みに耐えられるものであればよい。
【００２３】
固定リング１４は、出口側管部１１Ｂが挿入可能な挿入孔を有する。そして、挿入孔に出口側管部１１Ｂを挿入することにより、固定リング１４は出口側管部１１Ｂと着脱自在に嵌着する。出口側管部１１Ｂの下方部分は、先端、すなわち出口１１Ｙに向かうに従ってその外径が漸減する、すなわち先細りとなることが好ましい。これにより、固定リング１４の出口側管部１１Ｂへの嵌着を確実に行うことができる。
【００２４】
次に、展示具１０へ展示物２０を取り付ける方法について説明する。
【００２５】
まず、図２に示すように、風船開口１３Ｘに、出口側管部１１Ｂを挿入する。風船１３のうち風船開口１３Ｘの周縁部、すなわち、風船管部１３Ａを挟むようにして、固定リング１４を出口側管部１１Ｂへ嵌着する（図３参照）。こうして、固定リング１４は風船１３を通気管１１に固定することができる。
【００２６】
次に、通気管１１に固定された風船１３が展示物２０の開口部２０Ｘから挿入されるように、展示物２０の保持が行われる。これにより、風船１３は、開口部２０Ｘと連通する展示物２０の中空部２０Ｃに位置する。なお、風船１３が開口部２０Ｘへ挿入されるように展示物２０を保持する方法としては、手で展示物２０を保持してもよいし、ベース１６Ａに設置された別途の台座を用いて展示物２０を保持してもよい。
【００２７】
そして、バルブ１２を「開」状態にするとともに、エアポンプ３５の給気口３５Ｘに入口１１Ｘを連結する。その後、エアポンプ３５を駆動すると、エアポンプ３５によって送り出されたガスは、ガス流路１１Ｒを介して、風船１３へ導入される。この結果、中空部２０Ｃに位置する風船１３は膨らむ。そして、所定の流量のエアが風船１３に導入されると、風船袋部１３Ｂの外面は、風船袋部１３Ｂに充てんされたガスの圧力によって、展示物２０の内面２０Ｎを押す（図１参照）。例えば、展示物２０が図１に示すような形状の場合、風船１３の上方部分（以下、上方外面と称する）１３ＢＳは、展示物２０の中空部２０Ｃのうち開口部２０Ｘに向かって細くなる部分を押す。すなわち、環状の上方外面１３ＢＳは、展示物２０の内面２０Ｎに当接する。そして、風船管部１３Ａは、風船袋部１３Ｂとともに展示物２０を支える。このようにして、風船１３は、通気管１１を介して展示物２０を保持することができる。
【００２８】
最後に、バルブ１２を「閉」状態にして、入口１１Ｘを、エアポンプ３５の給気口３５Ｘから外す。
【００２９】
次に、展示具１０から展示物２０を取り外す方法について説明する。
【００３０】
まず、展示物２０を保持した状態で、バルブ１２を「開」状態にすると、風船１３に充てんされたガスが抜け、風船１３による展示具１０の支持が解除される。こうして、展示具１０から展示物２０を取り外すことができる。
【００３１】
このように、展示具１０は、展示物２０の内面２０Ｎを支持する風船１３を用いて、展示物２０を保持することができるため、展示物２０を載置する必要がない。すなわち、展示具１０は、展示物２０の下部２０Ｕが非接触の状態で保持することができる。よって、展示具１０によれば、自立の困難な形状の展示物２０の展示を可能にする。
【００３２】
また、展示具１０によれば、ガスが充てんされた風船１３を用いて展示物２０を保持するため、風船１３の外面は展示物２０の内面２０Ｎの形状に応じて変形可能であるとともに、変形した状態で展示物２０の内面２０Ｎに一定の圧力をかけることが可能である結果、さまざまな形状の展示物２０の保持が可能になる。
【００３３】
さらに、展示具１０に保持される展示物２０は、通気管１１や支持機構１６と直に接しないため、通気管１１や支持機構１６が振動した場合でも、通気管１１や支持機構１６の振動は、展示物２０に直接伝わらない。
【００３４】
そして、展示具１０は、自立困難な展示物・自立可能な展示物を問わず、展示物２０を載置する必要がない。このため、展示具１０は、展示物２０の頭部や側部に加え、展示物２０の底部まで、すなわち展示物２０の全体が鑑賞可能な態様で、展示物２０を保持することができる。
【００３５】
加えて、展示具１０によって保持される展示物２０は、風船１３を介して通気管１１や支持機構１６に取り付けられる。このため、通気管１１や支持機構１６が振動した場合でも、展示物２０の手前にある風船１３の振動により、通気管１１や支持機構１６の振動は減衰される。この結果、展示物２０の振動が抑えられる。
【００３６】
また、前述したように、展示具１０から展示物２０を取り外すための操作は、展示物２０を保持した状態で、バルブ１２の「開」操作を行うだけで済む。このため、展示物２０の取り外し作業も容易である。
【００３７】
なお、風船袋部１３Ｂの上方外面１３ＢＳに、突起を設けてもよい。これにより、展示物２０に対する保持力が向上する。突起の形態は、風船開口１３Ｘの周りを囲うように環状に形成されてもよい。環状の突起は、１つでも複数でもよい。また、複数の突起を点在させてもよい。なお、展示具１０は、展示物２０の下部２０Ｕが非接触の状態で保持してもよいし、展示物２０の下部２０Ｕがベース１６Ａに接触する状態で保持してもよい。
【００３８】
なお、展示具１０が保持可能な展示物の形状としては、筒状など、開口部を有するものであればよい。また、展示具１０が保持可能な展示物２０の形状として、図４に示す展示物２１でもよい。展示物２１は、ベース部２１Ａと、ベース部２１Ａの周縁から起立するように設けられる複数の起立部２１Ｂと、を有する。この場合、複数の起立部２１Ｂの先端によって囲まれる部分が展示物２１の開口部２１Ｘとなる。そして、開口部２１Ｘから挿入された風船１３にガスを供給して、風船１３を膨らます。これにより、風船１３の表面には、展示物２０の内面２０Ｎに当接する部分が、周方向において互いに離隔して並ぶ。
【００３９】
上記実施形態では、風船１３を通気管１１に固定する方法として固定リング１４を用いたが、本発明はこれに限られない。例えば、固定リング１４の代わりに、出口側管部１１Ｂが風船管部１３Ａに挿入された状態の風船１３の風船開口１３Ｘを、出口側管部１１Ｂごと結ぶ締結帯を用いてもよい。
【００４０】
また、上記実施形態では、通気管１１と、バルブ１２と、風船１３と固定リング１４と、を有する保持機構を用いたが、本発明はこれに限られず、風船１３と、風船開口１３Ｘの開閉が可能な栓ユニットとを有するものであればよい。
【００４１】
上記実施形態では、風船１３にガスを充てんしたが、本発明はこれに限られず、風船１３に液体を充てんしてもよい。
【００４２】
次に、本発明の第２の実施の形態を説明する。
【００４３】
図５に示すように、展示具６０は、展示物７０を保持するためのものであり、展示物７０を挟む挟持機構６１と、挟持機構６１を支持する支持機構６２と、を有する。
【００４４】
挟持機構６１は、展示物７０の外面７０Ｇを支持する外面当接機構６５と、展示物７０の内面７０Ｎ（図６参照）を支持する内面当接機構６６と、を有する。外面当接機構６５は、Ｙ字状に形成されるものであり、直線状のスライド棒６５Ａと、スライド棒６５Ａの先端に設けられた分岐板６５Ｂと、分岐板６５Ｂに設けられ展示物７０の外面７０Ｇと当接するための当接子６５Ｃと、を有する。
【００４５】
分岐板６５Ｂは、スライド棒６５Ａの先端が固着された部分から左右へ延びる。分岐板６５Ｂは、スライド棒６５Ａに対し左右対称であることが好ましい。また、分岐板６５Ｂは、スライド棒６５Ａに向かって凸となるように湾曲に形成される。分岐板６５Ｂの凸面にはスライド棒６５Ａの先端が固着され、分岐板６５Ｂの凹面の両端には当接子６５Ｃが設けられる。なお、分岐板６５Ｂは平板であってもよいし、スライド棒６５Ａに向かって凹となるように湾曲に形成されてもよい。
【００４６】
当接子６５Ｃの形成材料は、弾性を有するもの（例えば、ゴム）であることが好ましい。また、当接子６５Ｃの形状は球形であるが、これに限られず、球面を有する形状・その他の形状（例えば、立方体や直方体など）でもよい。
【００４７】
図７に示すように、支持機構６２は、支持機構１６とほぼ同様の構成であり、支持機構１６と異なる部分の説明を行い、その他の部分の説明は省略する。支持機構６２は、ベース６２Ａと、ベース６２Ａから上方に向かって延びる支柱６２Ｂとを有する。支柱６２Ｂは、下端がベース６２Ａに取り付けられた下方支柱６２ＢＬと、スライド棒６５Ａが挿入されるスライド挿入孔６２ＢＡ（図５参照）を上部に有する上方支柱６２ＢＵと、を有する。スライド挿入孔６２ＢＡは、ほぼ水平方向に延び、上方支柱６２ＢＵの前面から背面まで貫通する。スライド棒６５Ａをスライド挿入孔６２ＢＡへ挿入することにより、外面当接機構６５は、スライド挿入孔６２ＢＡをガイドにして、展示物７０の外面７０Ｇと当接する当接位置（図６参照）と展示物７０の外面７０Ｇから離れた離隔位置（図５参照）との間でスライド自在となる。
【００４８】
図５、７に示すように、上方支柱６２ＢＵの側面にはネジ８０の挿入孔６２ＢＣが設けられ、スライド棒６５Ａには、ネジ８０と螺合可能なネジ穴６５ＡＡが所定のピッチで設けられる。挿入孔６２ＢＣを介して、ネジ８０とネジ穴６５ＡＡとを螺合することにより、外面当接機構６５を所定の位置で固定することができる。
【００４９】
内面当接機構６６は、上方支柱６２ＢＵに設けられたアーム部６６Ａと、アーム部６６Ａの先端に設けられた当接子６６Ｃと、を有する。アーム部６６Ａは、基部が上方支柱６２ＢＵの上部に設けられ、先端部が分岐板６５Ｂの凹面の中央部と正対するように、Ｃ字状に形成される。
【００５０】
当接子６６Ｃの形成材料は、弾性を有するもの（例えば、ゴム）であることが好ましい。また、当接子６６Ｃの形状は球形であるが、これに限られず、球面を有する形状・その他の形状（例えば、立方体や直方体など）でもよい。また、当接子６６Ｃが内面７０Ｎと当接するための球面を有する場合、当接子６６Ｃの球面の曲率半径は、内面７０Ｎのものと等しいまたはそれより小さい方が好ましい。
【００５１】
次に、展示具６０へ展示物７０を取り付ける方法について説明する。まず、図５に示すように、外面当接機構６５を離隔位置にセットする。次に、当接子６６Ｃが展示物７０の内面７０Ｎに当接するように、アーム部６６Ａの先端部を展示物７０の開口部７０Ｘへ挿入する。その後、図６に示すように、外面当接機構６５を当接位置にする。最後に、上方支柱６２ＢＵの挿入孔６２ＢＣ（図７参照）を介して、ネジ８０とネジ穴６５ＡＡとを螺合する（図５参照）。
【００５２】
こうして、展示具６０は、内面７０Ｎに当接する当接子６６Ｃと外面７０Ｇに当接する当接子６５Ｃとによって挟持される（図６参照）。なお、当接子６６Ｃは、２つの当接子６５Ｃによって当接される位置の間を内面７０Ｎ側から当接することが好ましい。このようにして、展示具６０は、下部７０Ｕが非接触状態となるようにして、展示物７０を保持することができる（図６参照）。特に、外面当接機構６５がスライド自在であるため、展示具６０が保持可能な展示物７０の形状は極めて広い。
【００５３】
展示具６０が保持可能な展示物７１としては、開口部に向かって拡開する形状でもよい（図８参照）。また、展示物７１の下部７１Ｕがベース６２Ａに接触する状態で、展示物７１を保持してもよい。なお、ベース６２Ａに、弾性を有する弾性突起６２ＡＴを設け、展示物７１の下部７１Ｕが弾性突起６２ＡＴのみに接触する状態で、展示物７１を保持してもよい。なお、展示具６０は、下部７１Ｕが非接触状態となるように、展示物７１を保持してもよい。
【００５４】
なお、内面当接機構６６を移動自在にする移動機構と、内面当接機構６６のロック機構とを設けてもよい。図９に示す展示具９０では、移動機構は、スライド棒６５Ａが挿通可能な棒挿通孔を有する棒挿通リング９１である。アーム６６Ａの基部は棒挿通リング９１と連結する。これにより、内面当接機構６６は、スライド棒６５Ａをガイドにして移動自在となる。また、ロック機構は、棒挿通リング９１に設けられた係止ネジ９２である。係止ネジ９２は、外面当接機構６５への係止状態と係止状態から退避した退避状態との間で遷移自在である。係止ネジ９２によって、内面当接機構６６は所定の位置で固定される。
【００５５】
上記実施形態の展示具は、展示物の内面に当接する１つの内面当接具と、展示物の外面に当接する２つの外面当接具とを備えるが、本発明はこれに限られず、２つの内面当接具と、１つの外面当接具とを備えていてもよい。
【００５６】
例えば、図１０に示す展示具１００は、外面当接機構６５と内面当接機構６６とを備える。外面当接機構６５は、直線状のスライド棒６５Ａと、スライド棒６５Ａの先端に設けられた当接子６５Ｃと、を有する。
【００５７】
内面当接機構６６は、アーム６６Ａと、アーム６６Ａの先端に設けられた分岐板６６Ｂと、分岐板６６Ｂに設けられた当接子６６Ｃとを有する。分岐板６６Ｂは、アーム６６Ａの先端が固着された部分から左右へ延びる。分岐板６６Ｂは、アーム６６Ａに対し左右対称であることが好ましい。また、分岐板６６Ｂは、当接子６５Ｃに向かって凸となるように湾曲に形成される。分岐板６６Ｂの凹面にはアーム６６Ａの先端が固着され、分岐板６５Ｂの凸面の両端には当接子６６Ｃが設けられる。なお、分岐板６６Ｂは平板であってもよいし、当接子６５Ｃに向かって凹となるように湾曲に形成されてもよい。
【００５８】
尚、本発明は、上記した実施の形態に限定されるものではなく、本発明の要旨を逸脱しない範囲内において種々変更を加え得ることは勿論である。
【符号の説明】
【００５９】
１０、６０、９０、１００    展示具
１１    通気管
１１Ａ    入口側筒部
１１Ｂ    出口側筒部
１１Ｃ    湾曲管部
１１Ｒ    ガス流路
１１Ｘ    入口
１１Ｙ    出口
１２    バルブ
１３    風船
１３Ｘ    風船開口
１４    固定リング
１６    支持機構
１６Ａ    ベース
１６Ｂ    支柱
２０、２１、７０、７１  展示物
２０Ｎ、７０Ｎ      内面
２０Ｕ、７１Ｕ      下部
２０Ｘ、２１Ｘ    、７０Ｘ  開口部
６１    挟持機構
６２    支持機構
６５    外面当接機構
６５Ａ    スライド棒
６５Ｂ    分岐板
６５Ｃ    当接子
６６    内面当接機構
６６Ａ    アーム部
６６Ｃ    当接子
９１    棒挿通リング
９２    係止ネジ
【図１】
0005912658.tif 000002
【図２】
0005912658.tif 000003
【図３】
0005912658.tif 000004
【図４】
0005912658.tif 000005
【図５】
0005912658.tif 000006
【図６】
0005912658.tif 000007
【図７】
0005912658.tif 000008
【図８】
0005912658.tif 000009
【図９】
0005912658.tif 000010
【図１０】
0005912658.tif 000011